(57)【要約】【課題】磁界強度を微調節できるマグネトロンを提供する。【解決手段】マグネトロンの極部品１４と１５との間の磁界強度を微調節するために、このマグネトロンには透磁性材料から構成された移動自在な質量部材、例えばスライダー２０が設けられており、このスライダーは、アノードの外側ケーシング１６の表面にわたって接線方向にスライド可能である。磁界の所望する調節が達成されると、スライダーを所定位置にロックできる。移動自在な別の質量部材として、回転部材がある。【選択図】図２
2011216488.tif 000002
【特許請求の範囲】
【請求項１】
相互作用領域を通過する磁界を発生する磁気回路を形成するための、アノードの各側に設けられた一対の永久磁石と、
前記磁気回路の近くに位置する透磁性材料から成り、前記アノードのケーシング上をスライド可能な質量部材と、
前記相互作用領域を通る前記磁界の強度を設定するよう、前記質量部材を固定するためのロッキング手段と、
を備えたマグネトロン。
【請求項２】
前記質量部材は、前記アノードのケーシングに対して接線方向に移動自在なスライドとなっている、請求項１に記載のマグネトロン。
【請求項３】
前記スライダーを所定の位置にロックできるようにボルトが設けられている、請求項１または２に記載のマグネトロン。
【請求項４】
スライダーのクランプを補助するようにセレーションが設けられている、請求項１乃至３の何れか１項に記載のマグネトロン。
【請求項５】
前記スライダーは、出力導波管に取り付けられたガイド上で、前記マグネトロンからスライド可能となっている、請求項１乃至４の何れか１項に記載のマグネトロン。
【請求項６】
前記スライダーは、その長さの一部にわたって前記ガイドと係合するチャンネル形状の領域を含む、請求項５に記載のマグネトロン。
【請求項７】
前記質量部材は、回転部材である、請求項１に記載のマグネトロン。
【請求項８】
前記回転部材の透磁性は、円周方向に不均一となっている、請求項７に記載のマグネトロン。
【請求項９】
前記永久磁石は、サマリウム、ネオジミウムまたは他の希土類金属の合金である、請求項１乃至８の何れか１項に記載のマグネトロン。
【請求項１０】
前記永久磁石は、サマリウム−コバルトまたはネオジミウム−鉄−ホウ素から構成されている、請求項９に記載のマグネトロン。
【発明の詳細な説明】
【技術分野】
【０００１】
本発明は、マグネトロンに関する。
【背景技術】
【０００２】
マグネトロンは、相互作用領域を通過する磁界を発生するために、一般に永久磁石を使用している。磁性材料としてＡｌＮｉＣｏが使用されることが多く、この材料は磁化が比較的容易である。この結果、この材料を磁化していない状態で購入し、完成したマグネトロン内で材料を磁化することが便利であることが分かっている。Ａ．Ｃ．電流を搬送するコイルによって発生される交流磁界を使用して、磁石を制御しながら消磁することによって磁界強度を微調節をすることも可能である。
【０００３】
高エネルギーの磁性材料、例えばサマリウム−コバルトまたはネオジミウム−鉄−ホウ素を使用すると、より小型で軽量なマグネトロンを実現することが可能となるが、かかる磁性材料は、磁化がより困難であり、一般に製造中に材料を磁化しなければならず、このことは、磁石は、完全に磁化された状態で購入されることを意味する。
【発明の概要】
【発明が解決しようとする課題】
【０００４】
しかしながら、マグネトロンが電流および電圧の所望する作動ポイントで作動するように、磁界をトリミングしなければならないことがあり得る。
【０００５】
公知のマグネトロン構造の一部の斜視図である図１を参照して、マグネトロン中に存在する磁界強度を調節するための現在の一部の方法について説明する。
【０００６】
マグネトロンとは、相互作用領域を囲む複数の共振キャビティを備える真空デバイスであり、この相互作用領域では、高温カソードから放出された電子が、交差した電界と磁界の組み合わせ効果を受ける。高透磁性極部品（この部品はときどき真空エンベロープの一部を形成する）により、相互作用領域にわたって磁界が合焦されることが多い。図１では、マグネトロンの細部は省略されているが、永久磁石の極部品１と２との間には相互作用領域が位置する。
【０００７】
磁界は、馬蹄形磁石または透磁性リターン路を有する一対の磁石によって発生でき、磁界は、極部品がなくても直接印加できるが、より一般的には、高透磁性極部品により磁界を集中させる。これら極部品は、磁石と密に接触してもよいし、または製造を容易にするために中間極シューを介して接続してもよい。図１は、一方の極性の磁気ブロック３、４により、更に逆極性の磁気ブロック５、６により、磁界を発生する一例を示す。ブロック７、８は、それぞれの極部品１、２を収納するための極シューであり、磁気部品３〜６と対称的な極シュー７、８の遠方側にある磁気ブロックの別のペアを設けてもよい。軟鉄９、１０の薄いシートが磁気リターン路となっている。
【０００８】
マグネトロンを通過する磁界強度を調節する１つの公知の方法は、参照番号１１、１２によって示されるようなコーナーシャントを使用する方法である。これらコーナーシャントは軟鉄であり、磁束の一部は、これらコーナーシャントを通して発散されるようになっており、これによってマグネトロン自体を通って延びるよう利用される磁界が弱くなる。この方法は、極部品１と２の間の作動ギャップ内の磁界強度を弱くすることが望ましい場合に使用できる。
【０００９】
この方法とは異なり、図示されているコーナーシャントのうちの１つのアームのみから成るフラットなシャントを使用し、作動ギャップ内の磁界を弱くすることもできる。
【００１０】
この目的を達成する別の公知の方法は、磁気リターン路のために薄い軟鉄の別のシートを設けることである。
【００１１】
バイメタル部材の変形に応答し、補助的極部品の自動的な変位により、温度変化から生じる磁界強度の変化を補償するために、相互作用空間内の磁界を調節する方法も提案されている（米国特許第4,338,545号）。
【００１２】
マグネトロンの組み立て／分解を容易にするように、磁界強度をかなり弱くできるよう、アノードの軸に向かうラジアル方向に、マグネトロンの極部品と極シューとの間の磁気シャントを変位させることも提案されている（英国特許第826822号）。
【課題を解決するための手段】
【００１３】
本発明は、相互作用領域を通過する磁界を発生する磁気回路を形成するための、アノードの各側に設けられた一対の永久磁石と、前記磁気回路の近くに位置する透磁性材料から成り、前記アノードのケーシング上をスライド可能な質量部材と、前記相互作用領域を通る前記磁界の強度を設定するよう、前記質量部材を固定するためのロッキング手段とを含むマグネトロンを提供するものである。
【００１４】
ある配置により、相互作用領域を通る磁界強度を微調節することも可能である。
【００１５】
質量部材をアノードのケーシングに対して接線方向に移動できるスライダーとすることができ、この質量部材は、スライダーのクランプを補助する最適なセレーションと共に、ボルトによって固定することができる。スライダーは、出力導波管に取り付けられたガイド上でマグネトロンからスライドでき、ガイドと係合するチャンネル形状をした領域を含むことができる。
【００１６】
質量部材が上部でスライドできるアノードのケーシングは、アノード本体の外部またはアノード本体を少なくとも部分的に囲む別のケーシングの外部とすることができる。
【００１７】
上記とは異なり、透磁性部材を回転部材とすることができる。
【００１８】
添付図面を参照し、例により本発明を実行する方法について詳細に説明する。
【図面の簡単な説明】
【００１９】
【図１】マグネトロン内の磁界強度を調節する公知の方法を示す斜視図である。
【図２】本発明に係わるマグネトロンの斜視図である。
【図３】図２に示されたマグネトロンの一部の正面図である。
【図４】図２の実施形態に対する可能な変形例の一部平面図である。
【発明を実施するための形態】
【００２０】
すべての図面にわたり、同様な部品に対しては同様な参照番号を使用した。
【００２１】
図２を参照する。永久磁石１４、１５を透磁性ヨーク１３が支持しており、これら永久磁石１４と１５の間にマグネトロンのアノードが位置し、このアノードの本体（図示せず）は、外側ケーシング１６によって囲まれている。これら磁石は完全に磁化されており、サマリウム−コバルトまたはネオジミウム−鉄−ホウ素とすることができる。参照番号１８で全体が表示される鋳造品とすることができる非磁性材料のベースプレート１７にヨークが取り付けられている。この鋳造品は、カプラーと導波管部分１９を含み、導波管１９はマグネトロン内で発生されたマイクロウェーブエネルギーをベースプレート内の出力フランジまで運ぶ。
【００２２】
マグネトロンの相互作用領域を通過する磁界強度は、軟鉄性のスライダー２０によって調節可能である。後方部分２１は、チャンネル形状であり、鋳造品１８のリブ２２上をスライドするので、このスライダーは、軸方向にしか走行できないように制限されている。リブの上部表面は、チャンネル形状領域の嵌合面を有するように、側部から側部へのセレーションを有し、チャンネルの上部表面内のスロット内の開口部を通って、リブの面内のネジ切りされた孔に延びるボルト（図示せず）を締め付けることにより、リブは所望する位置にロックされるようになっている。
【００２３】
オペレータの設定を助ける手段としてトラックに目盛りをマーキングすることができる。
【００２４】
図３を参照する。この図は、アームとヨークの間の領域の正面図であり、マグネトロンの隠れたテーパ付き極シュー２４、２５が点線で示されており、磁石１４の上部周辺と磁石１５の磁石周辺との間にスライダー２０の先端が延びている。極部品とヨークとの間で循環する磁束の一部は、先端を通して発散するので、その結果、極シュー２４と２５との間の磁界強度は弱くなっている。この強度減少量は、スライダーを前後に移動することによって変えることができる。
【００２５】
マグネトロンを通過する所望する磁界強度が得られると、ボルトを締め付ける。
【００２６】
当然ながら、本発明の範囲から逸脱しない変形を行うこともできる。従って、より大きく調節するには、スライダーをより広くする。例えば図３内の点線で示された別のバージョンのスライダー２０ａのようにできる。アノードの外側ケーシング１６の円筒形の直径は、磁石１４、１５の直径よりも若干大きいので、別のバージョンのスライダー２０ａは、磁石から若干離間する。異なる間隔も可能であり、また、別のバージョンのスライダー２０ａは、実際に磁石に接触できる。同様に、スライダー２０または２０ａの場合、スライダーと外側ケーシング１６との間に若干の間隔を設けてもよい。
【００２７】
微調節するためにスライダーの先端を三角形にしてもよいし、または他のプロフィルとしてもよい。
【００２８】
図４に部分的に示された更に別の例では、アジャスターをローブプロフィルを有する円形としてもよく、このプロフィルは、マグネトロンの相互作用空間から離間するように発散する磁束量を制御しながら変更するように、固定前は回転できるようになっている。このアジャスターは、図示するように、切り欠かれた円形ディスク２３であり、透磁性インサート２３ａ、２３ｂ、２３ｃと共にプラスチック材料のような非磁性材料から製造でき、このディスクは、回転軸２３上で締結されるボルト（図示せず）にロックできる。マグネトロン１６および磁石１４、１５（磁石は切り欠かれて示されている）に部分的にオーバーラップするように、リブ２２にディスク２３を取り付けできる。
【００２９】
別の例として、回転アジャスターを、均一な透磁性であるが、円形でない偏心形状とすることもできる。
【図１】
2011216488.tif 000003
【図２】
2011216488.tif 000004
【図３】
2011216488.tif 000005
【図４】
2011216488.tif 000006
【外国語明細書】
2011216488.tif 000007
2011216488.tif 000008
2011216488.tif 000009
2011216488.tif 000010
2011216488.tif 000011
2011216488.tif 000012
2011216488.tif 000013
2011216488.tif 000014
2011216488.tif 000015
2011216488.tif 000016
2011216488.tif 000017
2011216488.tif 000018